【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
複数のレーザ光源（２）を含んで構成される、好ましくは共焦点式の走査顕微鏡のための照明光ビーム等のレーザ光ビームを生成するための装置であって、
前記複数のレーザ光源（２）が、個別に又はグループ化されて、外部に対して規定される機械的、電気的及び光学的インターフェースをそれぞれ有する複数のモジュール（１）を構成するよう統合された装置において、
複数の前記モジュール（１）の複数のレーザ光ビーム（５）が、外部のビーム合一装置（１６）に供給可能に構成されること、
前記外部のビーム合一装置（１６）は、直列（ないし列状（in Reihe））に又はグループ的に互いに並列（ないし平行）に配置されるビーム合一要素（複数）を含むこと、及び
前記ビーム合一要素（複数）は、それぞれ、１つの定義された波長領域の１つの波長を有するレーザ光ビーム（５）を入射結合（差込入射）するよう構成されること
を特徴とする装置。
【請求項２】
前記モジュール（１）の装填又は挿入のための１又は複数の収容スペース（１３）を備える収容ステーション（１２）として構成されること
を特徴とする請求項１に記載の装置。
【請求項３】
前記モジュール（１）は、ケーシング（３）によって規定される寸法を有すること
を特徴とする請求項１又は２に記載の装置。
【請求項４】
前記モジュール（１）は、光学機械式ユニットを構成すること
を特徴とする請求項１〜３の何れか一項に記載の装置。
【請求項５】
個々のモジュール（１）には、それぞれ独自の給電／制御ユニット（１４）が組み込まれること
を特徴とする請求項１〜４の何れか一項に記載の装置。
【請求項６】
複数の前記モジュール（１）に接続可能な１つの集中（セントラル）給電／制御ユニット（１４）を有すること
を特徴とする請求項１〜４の何れか一項に記載の装置。
【請求項７】
前記給電／制御ユニット（１４）は、前記収容ステーション（１２）に装填可能又は挿入可能に構成され、又は該収容ステーション（１２）と一体的に構成されること
を特徴とする請求項６に記載の装置。
【請求項８】
前記給電／制御ユニット（１４）は、外部の給電線、制御線及び信号線のための接続部（複数）を有すること
を特徴とする請求項５〜７の何れか一項に記載の装置。
【請求項９】
前記モジュール（１）の前記電気的インターフェースは、差込式コネクタ（２０）を備えたケーブル（１９）によって構成されること
を特徴とする請求項１〜８の何れか一項に記載の装置。
【請求項１０】
個々の前記モジュール（１）は、給電線、制御線及び信号線を介して、前記給電／制御ユニット（１４）に接続可能に構成されること
を特徴とする請求項６〜９の何れか一項に記載の装置。
【請求項１１】
前記モジュール（複数）（１）には、少なくともほぼ同一の給電線、制御線及び信号線が接続可能であること
を特徴とする請求項１０に記載の装置。
【請求項１２】
前記モジュール（１）の前記電気的インターフェースは、差込式コネクタ（１５）によって構成されること
を特徴とする請求項１〜１１の何れか一項に記載の装置。
【請求項１３】
前記収容スペース（１３）には、差込式コネクタ（１５）を機械的に受容するためのコネクタ要素（複数）が形成されること
を特徴とする請求項１２に記載の装置。
【請求項１４】
前記コネクタ要素は、モジュール（１）が収容スペース（１３）に完全に挿入された状態において、前記給電／制御ユニット（１４）に対する電気的及び／又は光学的接続が生成されるように構成されること
を特徴とする請求項１３に記載の装置。
【請求項１５】
前記コネクタ要素は、（１つの）モジュール（１）が挿入されると、前記収容ステーション（１２）に組み込まれたマイクロコントローラに、（１つの）信号が供給されるように構成されること
を特徴とする請求項１３又は１４に記載の装置。
【請求項１６】
前記モジュール（１）と前記給電／制御ユニット（１４）との間の通信は、光学的に、無線電信的に、又はその他の類似の方法でワイヤレス的に実現されること
を特徴とする請求項５〜１５の何れか一項に記載の装置。
【請求項１７】
すべての収容スペース（１３）は、寸法及び採用されるインターフェースに関して同一に構成されること
を特徴とする請求項２〜１６の何れか一項に記載の装置。
【請求項１８】
予め設定可能な収容スペース（１３）のコネクタ要素は、モジュール（１）の挿入が阻止されるように構成されること
を特徴とする請求項１３〜１６の何れか一項に記載の装置。
【請求項１９】
前記レーザ光ビーム（５）は、前記モジュール（１）の内部において、前記ファイバコネクタ（４）に合焦されること
を特徴とする請求項１〜１８の何れか一項に記載の装置。
【請求項２０】
前記レーザ光ビーム（５）は、前記モジュール（１）の内部において、コリメートされて、前記ファイバコネクタ（４）に入射すること
を特徴とする請求項１〜１８の何れか一項に記載の装置。
【請求項２１】
前記モジュール（１）の前記ケーシング（３）には、少なくとも１つのファイバ案内貫通部が形成され、及び前記ファイバコネクタ（４）は、前記ケーシング（３）の外部に形成されること
を特徴とする請求項３〜２０の何れか一項に記載の装置。
【請求項２２】
前記モジュール（１）には、少なくとも１つの出射ウィンドウが光学的インターフェースとして配されること
を特徴とする請求項１〜２１の何れか一項に記載の装置。
【請求項２３】
１つのモジュール（１）の複数のレーザ光源（２）の各々のレーザ光ビーム（５）を合一するために、該モジュール（１）の内部にビーム合一装置（１６）が配設されること
を特徴とする請求項１〜２２の何れか一項に記載の装置。
【請求項２４】
複数の前記モジュール（１）の複数のレーザ光ビーム（５）が、外部のビーム合一装置（１６）に供給可能に構成されること
を特徴とする請求項１〜２３の何れか一項に記載の装置。
【請求項２５】
前記外部のビーム合一装置（１６）は、直列（ないし列状（in Reihe））に又はグループ的に互いに並列（ないし平行）（gruppenweise parallel zueinander）に配置されるビーム合一要素（複数）を含むこと
を特徴とする請求項２４に記載の装置。
【請求項２６】
前記ビーム合一要素は、バンドエッジフィルタとして構成されること
を特徴とする請求項２５に記載の装置。
【請求項２７】
前記ビーム合一要素は、それぞれ、１つの定義された１つの波長領域の波長を有するレーザ光ビーム（５）を入射結合（差込入射）するよう構成されること
を特徴とする請求項２５又は２６に記載の装置。
【請求項２８】
前記ビーム合一装置（１６）は、電気的インターフェース（複数）を介して前記収容ステーション（１２）に受容されること
を特徴とする請求項２４〜２７の何れか一項に記載の装置。
【請求項２９】
前記レーザ光源（２）は、固体レーザ及び／又はファイバレーザとして構成されること
を特徴とする請求項１〜２８の何れか一項に記載の装置。
【請求項３０】
前記モジュール（１）には、前記レーザ光源（２）の特性を直接的又は間接的に安定化するための電子回路が設けられること
を特徴とする請求項１〜２９の何れか一項に記載の装置。
【請求項３１】
前記電子回路の制御によって、強度、波長、スペクトル幅、偏光、コヒーレンス長等の前記レーザ光源（２）の特性は可変に構成されること
を特徴とする請求項３０に記載の装置。
【請求項３２】
前記電子回路の制御によって、パルス時点、パルス持続時間、パルス形状、繰返し速度（Repetitionsrate）等のパルス化レーザ光源（２）の特性は可変に構成されること
を特徴とする請求項３０又は３１に記載の装置。
【請求項３３】
前記モジュール（１）の内部に配設されるレーザ光源（２）は、具体的な適用に適合されること
を特徴とする請求項１〜３２の何れか一項に記載の装置。
【手続補正２】
【補正対象書類名】明細書
【補正対象項目名】０００８
【補正方法】変更
【補正の内容】
【０００８】
冒頭において述べた形式の本発明の装置において、上記の課題は、請求項１の特徴によって解決される。即ち、本発明によれば、複数のレーザ光源を含んで構成される、好ましくは共焦点式の走査顕微鏡のための照明光ビーム等のレーザ光ビームを生成するための装置であって、前記複数のレーザ光源が、個別に又はグループ化されて、外部に対して規定される機械的、電気的及び光学的インターフェースをそれぞれ有する複数のモジュールを構成するよう統合された装置において、複数の前記モジュールの複数のレーザ光ビームが、外部のビーム合一装置に供給可能に構成されること、前記外部のビーム合一装置は、直列（ないし列状（in Reihe））に又はグループ的に互いに並列（ないし平行）に配置されるビーム合一要素（複数）を含むこと、及び前記ビーム合一要素（複数）は、それぞれ、１つの定義された波長領域の１つの波長を有するレーザ光ビームを入射結合（差込入射）するよう構成されることを特徴とする。
なお、特許請求の範囲に付記した図面参照符号は、専ら本発明の理解を助けるためのものであり、図示の態様に本発明を限定することを意図するものではない。